(57)【特許請求の範囲】
【請求項１】
ディスクを載置する複数のトレイと、
前記トレイを複数積層して各トレイを移動可能に保持するトレイ保持部材と、
前記トレイと係合離反可能に設けられたカム部材とを有し、
前記カム部材が前記トレイと係合して前記トレイを押下げ、
前記トレイは前記トレイを複数積層する方向に撓む可撓部を有し、前記カム部材と前記トレイとが係合し、前記可撓部をたわませて前記トレイに載置されたディスクと前記トレイとの間に空間を形成する光ディスク装置。
【請求項２】
前記ディスクを搬入または排出する際に前記カム部材が前記トレイに係合する請求項１記載の光ディスク装置。
【発明の詳細な説明】
【技術分野】
【０００１】
本発明は、複数枚のディスクを個別に載置可能で積層配置されたトレイを複数備えるディスク装置に関するものである。
【背景技術】
【０００２】
従来より、複数枚の光ディスク等のディスクを装置の本体内部に収納しておき、所望のディスクを選択して記録再生する多連奏型のディスク装置が開発されている（例えば特許文献１、特許文献２参照）。
【０００３】
従来の光ディスク装置１００では、図７に示すように、本体１０１の前面に、メディアを挿入するための挿入口１０３が設けられている。本体１０１における挿入口１０３の内側には、搬入方向に直交して搬送ローラ１０４が回転自在に設けられている。搬送ローラ１０４より光ディスク装置１００の内側には、複数のトレイ１０７が上下方向に積層して設けられている。トレイ１０７は、図示省略のエレベータ機構によって上下方向に移動可能となっており、ディスク１０２の搬入又は搬出時に選択されたトレイ１０７を挿入口１０３と同じ高さに移動させる。このディスク装置１００は、記録再生位置に位置決めされた回動アーム１１０とトレイ１０７とが干渉しないように、トレイ１０７には切欠き１１１が設けられている。したがって、トレイ１０７に保持された状態の光ディスク１０２を、直接回動アーム１１０のターンテーブル１０８により保持することができ、回動アーム１１０と干渉することなくトレイ１０７を下げることができるようになっている。
【特許文献１】特開２００２−１００１０３号公報
【特許文献２】特開２００３−３３８１１２号公報
【発明の開示】
【発明が解決しようとする課題】
【０００４】
しかしながら従来の光ディスク装置においては、トレイ１０７の外周が連続しておらず、トレイ１０７の剛性が不足して変形する場合があり、さらに、トレイ１０７を挿入口１０３と同じ高さに移動させた後、ディスクを排出する際、ディスク１０２の記録面側に設けられた図示省略の突部が引っ掛り、スムーズにディスクの搬入及び搬出動作ができない場合がある。
【０００５】
本発明は、上記課題を解決するためのもので、トレイの剛性を確保して、小型化を図ると共に、ディスク記録面側の突部が引っ掛らずに安定した動作をすることができるディスク装置を提供することを目的とする。
【課題を解決するための手段】
【０００６】
本発明の光ディスク装置は、ディスクを載置する複数のトレイと、前記トレイを複数積層して各トレイを移動可能に保持するトレイ保持部材と、前記トレイと係合離反可能に設けられたカム部材とを有し、前記カム部材が前記トレイと係合して前記トレイを押下げ、前記トレイは前記トレイを複数積層する方向に撓む可撓部を有し、前記カム部材と前記トレイとが係合し、前記可撓部をたわませて前記トレイに載置されたディスクと前記トレイとの間に空間を形成する構成を有する。
【０００７】
この構成により、ディスク搬出移動時の際のディスク下方もしくは上方に所定の空間を形成することができる。
【発明の効果】
【０００８】
以上の説明から明らかなように、本発明によれば、トレイの剛性を確保しつつ、ディスク記録面側に設けられた突部の引っかかりを防止することができるディスク装置を提供することができる。
【発明を実施するための最良の形態】
【０００９】
以下、本発明の実施の形態について、図面を用いて説明する。
【００１０】
図１（ａ）及び図２（ａ）は、カーオーディオ装置に内蔵される光ディスク装置の要部上面図であり、  図１（ｂ）及び図２（ｂ）は、それぞれ対応する側面図であり、図１はディスク搬入・排出時を示し、図２はディスク収納時を示す。
【００１１】
図１及び図２に示すように、本発明の実施形態のディスク装置では、複数のディスク１７を内部に収納可能な本体１０と、この本体１０の内部において各ディスク１７を個別に保持する積層された複数のトレイ１２と、先端にディスク１７を挟持して回転するターンテーブル１４を有しディスク１７に対して記録再生を行う光学ヘッド部１５を移動可能に支持するとともに各トレイ１２の積層方向と平行な支軸２０を中心として回動可能な回動アーム１６とを備えている。
【００１２】
トレイ１２は全体略円盤状であり、各トレイはアルミ板などで形成され各トレイは単体で全体が可撓性を有している。さらに、中央部には略円形の中空部１２aが設けられていて、トレイ１２は閉じた円形状であり、高い剛性を保持することができる。また、トレイ１２の一部はトレイ１２の外側に突出してエレベータ用貫通穴が複数箇所設けられおり、このエレベータ用貫通穴を上下に貫通するようにトレイ保持部材としての昇降用カム体であるトレイ昇降用のエレベータカムギヤ１１が設けられている。
【００１３】
また、図１（ａ）または図２（ｂ）における本体１０の右側に設けられた図示省略の挿脱口の本体１０内側には、上下対を成す搬送ローラ１３が設けられており、図示省略の駆動機構により、正逆回転可能となっている。これにより、挿脱口に挿入されたディスク１７を搬入し、記録再生を終了したディスク１７を挿脱口から排出する。
【００１４】
図３はトレイ昇降用のエレベータカムギヤ１１の詳細を示す図であり、図３（ａ）は側面図、図３（ｂ）はエレベータカムギヤ１１の周面を平面に置換えた展開図を示す。図３において、エレベータカムギヤ１１の外周面にはトレイ１２が係合するカム溝２１が形成され、エレベータカムギヤ１１の下部に歯車部２３が一体に形成されている。これにより、図示省略の駆動機構と歯車部２３とが噛合しエレベータカムギヤ１１が回転駆動される。したがってエレベータカムギヤ１１の回転によってカム溝２１に係合しているトレイ１２のボス部２４がカム溝２１に沿って移動し、トレイ１２が上下移動することとなる。また、カム溝２１のカムポイント２２の高さにトレイ１２のボス部２４が係合している位置にてディスク１７を挿入排出可能なトレイ高さとなっており、ディスク挿入及び排出する際には図示省略の駆動機構によりエレベータカムギヤ１１が回転駆動し、トレイ１２のボス２４が前記カムポイント２２の位置に移動し、ディスク搬入及び排出動作がなされる。
【００１５】
図４及び図５は、トレイ１２に係合及び離反するカム部２５の詳細を示す図であり、図４（ａ）はカム部材１８の側面図、図４（ｂ）はカム部材１８の周面を平面に置換えた展開図、図４（ｃ）はホルダ１９の断面図を示す。カム部２５は、図示省略の回転機構により歯車部１８ｂが噛合回転駆動される全体円筒形状のカム部材１８と、カム部材１８の外側に回転可能かつ上下移動可能に支持されるホルダ１９とを含んで構成される。なお、図４においては、カム部材１８をホルダ１９から離れた位置に示しているが、実際には、図１及び図２に示すようにカム部材１８とホルダ１９は係合している。
【００１６】
カム部材１８の外周面には、展開すると図４（ｂ）に示すような第１のカム溝１８ａが設けられ、ホルダ１９の内周面には、第１のカム溝１８ａに係合するカム突起１９ｂが設けられている。また、ホルダ１９の外周面にはトレイ１２のトレイ突出部１２ｂに当接するホルダ突起部１９ａが設けられている。したがって、ホルダ１９はカム部材１８の回転にしたがって回転及び上下移動する。
【００１７】
図６に、ディスクの形状について示す。ディスク１７にはディスク記録面側の、中心孔より外周側且つ記録エリアより内周側の位置に、突起部１７ａが円周形状に形成されている。
【００１８】
図１に示すように、ディスク１７を載置した全てのトレイ１２がディスク移送排出可能高さ位置にある場合、トレイ１２の近傍に設置されたカム部材１８が回転することにより、ホルダ１９のホルダ突起部１９ａがトレイ１２のトレイ突起部１２ｂに係合し、カム部材１８のカム溝１８ａに沿ってホルダ突起部１９ｂが移動することにより、トレイ１２の一部がホルダ１９のホルダ突起部１９ａに押下されることによって、トレイ全体が若干弓なりにたわむ。すなわち、トレイ１２の周縁の一部がエレベータカムギヤ１１に移動自在に保持されているため、トレイ１２のディスク挿入口付近の一部を押下して撓ませることで、トレイ１２の上面と、トレイ１２に載置されたディスク１７の下面との間に空間Ｓが形成される。このような構造では、トレイ１２の一部を押下げてトレイ１２をたわませるだけの簡単な構造で、ディスク１７の記録面側に設けられた突起部１７ａが引っ掛からない程度のわずかな空間Ｓを形成することができるので、本体１０を小型化することが容易である。
【００１９】
ディスク１７を移送排出する際、ディスク１７の記録面側に設けられた突起部１７ａがトレイ１２のトレイ孔部１２ａの端面に接触し、動作が不安定になる恐れがあるが、前述したようにトレイ１２の上面とディスク１７の下面との間に空間Ｓを設けることにより、ディスク１７の記録面側の突起部１７ａとトレイ１２のトレイ孔部１２ａの端面との接触が回避でき、スムーズなディスク搬入及び排出動作が可能となる。
【００２０】
なお、以上の説明では、トレイ１２のトレイ突出部１２ｂを下方向に押下し、トレイ１２の上面とディスク１７の下面との間に空間Ｓを形成する手段として、カム部材１８及びホルダ１９を回転駆動し、ホルダ突出部１９ａをトレイ突出部１２ｂに当接する構成としたが、レバーやスライドカム等を用いてトレイ突出部１２ｂを押下して空間Ｓを形成することも可能である。
【００２１】
さらに、トレイ１２はアルミ製のものを用いていたが、たとえば樹脂製のものなど、他の可撓性の材質のものを用いてもよい。
【産業上の利用可能性】
【００２２】
以上のように、本発明のディスク装置は、略中空円盤状のトレイを利用することにより、トレイの剛性を確保することができると共に、トレイを撓ませてディスク下面突出部との接触を回避する為の空間を設けることができ、小型且つ動作が安定した多連奏型のディスク装置等として有用である。
【図面の簡単な説明】
【００２３】
【図１】（ａ）本発明の実施形態のディスク装置のディスク搬入・排出時における概略上面図（ｂ）本発明の実施形態のディスク装置のディスク搬入・排出時における右側面図
【図２】（ａ）本発明の実施形態のディスク装置のディスク収納時における概略上面図（ｂ）本発明の実施形態のディスク装置のディスク収納時における右側面図
【図３】（ａ）本発明の実施形態のディスク装置のエレベータカムギヤの正面図（ｂ）本発明の実施形態のディスク装置のエレベータカムギヤのカム展開図
【図４】（ａ）本発明の実施形態のディスク装置のカム部におけるカム部材の概略説明図（ｂ）本発明の実施形態のディスク装置におけるカム部のカム部材の展開図（ｃ）本発明の実施形態のディスク装置におけるカム部のホルダの概略説明図
【図５】（ａ）本発明の実施形態のディスク装置におけるカム部のホルダの斜視図（ｂ）本発明の実施形態のディスク装置におけるカム部のホルダの上面図（ｃ）本発明の実施形態のディスク装置におけるカム部のホルダの側面図
【図６】（ａ）ディスクの形状を示す正面図（ｂ）ディスクの形状を示す側面図（ｃ）ディスクの形状を示す側面の拡大図
【図７】従来の光ディスク装置の概略平面図
【符号の説明】
【００２４】
１０  本体（光ディスク装置）
１１  エレベータカムギヤ（トレイ保持部材）
１２  トレイ
１３  ターンテーブル
１５  光学ヘッド部
１７  ディスク
１８  カム部材
１９  ホルダ
２０  支軸
２１  カム溝
２２  カムポイント
２３  歯車部
２４  ボス部
２５  カム部
６１  回転部
Ｓ  空間（トレイ上面と前記トレイ上に載置されたディスク下面との間の隙間）
【図１】
0004487885.tif 000002
【図２】
0004487885.tif 000003
【図３】
0004487885.tif 000004
【図４】
0004487885.tif 000005
【図５】
0004487885.tif 000006
【図６】
0004487885.tif 000007
【図７】
0004487885.tif 000008